(57)【特許請求の範囲】
【請求項１】
既存のアンテナ塔が複数の既存のアナログ放送用のアンテナを設置したアンテナ設置用上側部と該上側部を支持する支持用下側部とで構成されてあり、既存のアナログ放送用のアンテナを使用しながらその高さを増大させて、新規のデジタル放送用のアンテナの設置を可能にする既存のアンテナ塔の増高方法において、既存のアンテナ塔の周囲に足場兼支持架台を仮設して、その高さを前記支持用下側部よりも高くかつ既存のアナログ放送用のアンテナによる送受信を妨害しない程度にし、既存のアナログ放送用のアンテナが前記アンテナ設置用上側部に設置されたままの状態にて、既存のアンテナ塔をアンテナ設置用上側部と支持用下側部とに分離し、この分離前又は分離後に前記アンテナ設置用上側部及び支持用下側部を補強し、前記アンテナ設置用上側部を所定の高さだけ上昇させて、前記支持用下側部と前記アンテナ設置用上側部との間に隙間を形成し、この隙間内において第１段増高構造体を形成して、この第１段増高構造体の上側を前記アンテナ設置用上側部の下側に固着して継ぎ足し、次いで、前記アンテナ設置用上側部及び第１段増高構造体を所定の高さだけ上昇させて、前記支持用下側部と第１段増高構造体との間に隙間を形成し、この隙間内において第２段増高構造体を形成して、この第２段増高構造体の上側を第１段増高構造体の下側に固着して継ぎ足し、上記と同様のやり方にて第３段以降の増高構造体を継ぎ足し、最下段の増高構造体の下側を前記支持用下側部の上側に固着して連結し、継ぎ足された増高構造体に新規のデジタル放送用のアンテナを設置することを特徴とする既存のアンテナ塔の増高方法。
【請求項２】
既存のアンテナ塔が複数の既存のアナログ放送用のアンテナを設置したアンテナ設置用上側部と該上側部を支持する支持用下側部とで構成されてあり、既存のアナログ放送用のアンテナを使用しながらその高さを増大させて、新規のデジタル放送用のアンテナの設置を可能にする既存のアンテナ塔の増高方法において、既存のアンテナ塔の周囲に足場兼支持架台を仮設して、その高さを前記支持用下側部よりも高くかつ既存のアナログ放送用のアンテナによる送受信を妨害しない程度にし、既存のアナログ放送用のアンテナが前記アンテナ設置用上側部に設置されたままの状態にて、既存のアンテナ塔をアナログ放送用のアンテナ設置用上側部と支持用下側部とに分離し、この分離前又は分離後に前記アンテナ設置用上側部及び支持用下側部を補強し、前記アンテナ設置用上側部を所定の高さだけ上昇させて、前記支持用下側部と前記アンテナ設置用上側部との間に隙間を形成し、この隙間内において第１段増高構造体を形成して、この第１段増高構造体の上側を前記アンテナ設置用上側部の下側に固着して継ぎ足し、次いで、前記アンテナ設置用上側部及び第１段増高構造体を所定の高さだけ上昇させて、前記支持用下側部と第１段増高構造体との間に隙間を形成し、この隙間内において第２段増高構造体を形成して、この第２段増高構造体の上側を第１段増高構造体の下側に固着して継ぎ足し、上記と同様のやり方にて第３段以降の増高構造体を継ぎ足し、最下段の増高構造体の下側を前記支持用下側部の上側に固着して連結し、アンテナ塔の増高後に、前記アンテナ設置用上側部に設置されていた既存のアナログ放送用のアンテナを該アンテナの増高前の設置高さと略同じ高さの前記増高構造体に移設するとともに、新規のデジタル放送用のアンテナを前記のアナログ放送用のアンテナの移設後のアンテナ設置用上側部に設置することを特徴とする既存のアンテナ塔の増高方法。
【発明の詳細な説明】
【０００１】
【発明の属する技術分野】
この発明は、既存のアンテナ塔の増高方法、特に、既存のアンテナ塔を使用しながらその高さを増大することができる既存のアンテナ塔の増高方法に関する。
【０００２】
【従来の技術】
従来の塔状タワーの構築方法には、例えば、次ぎの（１）〜（３）のものがある。
（１）建屋の屋上に設置する鉄塔の構築方法において、鉄塔の設置位置の直下に位置させて建築中の建屋内に鉄塔組立用の空間を設け、この空間内で鉄塔を組み立て、この組み立てた鉄塔を、その上部が建屋の屋上から上方へ向かって突出するように、ジャッキ等を用いて引き上げ又は押し上げて、前記鉄塔の下部を前記空間に差し込んだ状態にて建屋に固定する鉄塔の構築方法（例えば、特開平１０−８８８６１号公報参照）。
（２）ジャッキ及び該ジャッキと吊り上げ対象物とをつなぐ吊材を使用するリフトアップ工法による構築物の頂上に鉄塔を設置する構築方法において、構築物内の鉛直方向に延びる空間内で鉄塔を組み立て、吊材の上部をジャッキを介して構築物の上部につなぎ、前記吊材の吊点である下部を鉄塔の下部につなぎ、かつ鉄塔の下方にバランスウエイト用部材を吊り下げて、構築物内の所定位置からその頂部までの間の鉄塔の上昇を前記吊点より下方に鉄塔の重心を位置させて、前記鉄塔をその上部が構築物の頂部から上方へ向かって突出するように、ジャッキ及び吊材にてリフトアップし、リフトアップした鉄塔の下部を前記空間に差し込んだ状態にて構築物に固定する鉄塔の構築方法（例えば、特開平６−４５９７７号公報参照）。
（３）既設鉄塔の腕金に架した架線の下側に配設された鉄塔基礎脚部上に所定高さのガイドタワーを立設し、単位塔体を抱持し得る上部ガイドリングと下部ガイドリングとがガイドタワー内に上下動するように設けられ、ガイドタワーの下部内に搬入した単位塔体を上位の単位塔体に接続した後、前記上部及び下部ガイドリングにより単位塔体を抱持して迫り上げ、搬入、接続及び迫り上げを順次繰り返して鉄塔を地上付近において上部から下部へと構築するとともに、鉄塔の上部の腕金取付部がガイドタワーの頂部を通過した時点で、腕金をこれが既設架線と平行となるように腕金取付部に取付け、鉄塔が所定高さに到達した時点で、鉄塔をその腕金が既設架線と直交するように旋回させ、鉄塔の下部を鉄塔基礎脚部に固定した後、ガイドタワーを解体して撤去する鉄塔の迫り上げ構築方法（例えば、特公平２−１３１１５号公報参照）。
【０００３】
【発明が解決しようとする課題】
放送・通信のデジタル化への急速な動きの中、各地でアンテナ塔（電波塔）のリニューアル計画が浮上している。電波のデジタル化には、新規のアンテナと送受信設備がいる。
また、一般ユーザーの電波利用機（電話・テレビ・ラジオ・パソコン等）のデジタル対応化の普及にはある程度の歳月がかかる。こうした理由から、アナログからデジタルへの切り替えを同時に行なうことはできず、両者の送受信の併用期間が少なからず必要となる。
アンテナ塔による地上波送受信では、広範囲な利用を可能とするため、高さの大きい塔が必要となる。そのため、デジタルアンテナ塔をアナログアンテナ塔と別の敷地に新たに建設すると、両者が近接している場合には互いに反射及び遮蔽による大きな電波障害が生じる。また、デジタルアンテナ塔を現在のアナログアンテナ塔から離れた遠隔地に建設した場合、現在の一般建物による電波障害地域と異なる新たな地域で電波障害対策が必要であるとともに、放送局・通信局からアンテナ塔への新たな送信経路が必要となる。
こうしたことから、社会的経済性からもデジタル化には、現在のアンテナ塔のリニューアルが最善の方法であり、現在のアンテナ塔の機能を損なわずに、新たなデジタルアンテナ設備を備え得るアンテナ塔を構築する工法の確立が急がれている。
【０００４】
デジタル化に伴うアンテナ塔のリニューアルは我が国では初めての試みであり、アンテナ塔のリニューアルに関する既存の構築技術は存在しないものと考えられる。米国及び英国で昨年デジタル化が開始されたが、両国とも建物の密集度或いはケーブルの普及度において、我が国に比べ上記の問題は極めて軽微であると予想され、米国及び英国でも、アンテナ塔のリニューアルが技術として確立されていない。
これまでの幾つかの提案では、既存のアナログ関連設備の移動が困難なことから、現状のアンテナ塔の未使用部分に新規のアンテナを設置し、送受信機等の設備室は近接して新築するか、既存の塔を補強してスペースを設ける方法が挙げられていた。しかし、新たにデジタルアンテナを設置可能な空きスペースは、一般的に限られており、高性能のアンテナが必要であるうえに、同一レベルにおける複数局のアンテナの配置となるため、相互の電波干渉も懸念される。さらに、新設のアンテナは既存のアンテナより、低い位置となるため、利用範囲が現在より狭くなってしまう欠点がある。
【０００５】
前記（１）の鉄塔の構築方法は、建屋の屋上に設置する鉄塔の設置位置の直下に位置させて建築中の建屋内に鉄塔組立用の空間を設け、この空間内で鉄塔を組み立て、この組み立てた鉄塔を、その上部が建屋の屋上から上方へ突出するように、ジャッキなどを用いて引き上げ又は押し上げて、鉄塔の下部を前記空間に差し込んだ状態にて建屋に固定するものであるため、建屋の屋上に新規の塔を構築する場合にのみ採用できるものであり、その上部に複数のアンテナを設置したアンテナ塔の中間部に増高構造体を継ぎ足してアンテナ塔を増高する既存のアンテナ塔の増高に適用できないものである。
前記（２）の鉄塔の構築のためのリフトアップ工法は、構築物内の鉛直方向に延びる空間内で鉄塔を組み立て、吊材の上部をジャッキを介して構築物の上部につなぎ、前記吊材の吊点である下部を鉄塔の下部につなぎ、かつ鉄塔の下方にバランスウエイト用部材を吊り下げて、構築物内の所定位置からその頂部までの間の鉄塔の上昇を前記吊点より下方に鉄塔の重心を位置させて、前記鉄塔をその上部が構築物の頂部から上方へ突出するように、ジャッキ及び吊材にてリフトアップし、リフトアップした鉄塔の下部を前記空間に差し込んだ状態にて構築物に固定するものであるため、構築物上に新規の鉄塔を構築する場合にのみ採用できるものであり、その上部に複数のアンテナを設置したアンテナ塔の中間部に増高構造体を継ぎ足してアンテナ塔を増高する既存のアンテナ塔の増高に適用できないものである。
【０００６】
前記（３）の鉄塔の迫り上げ構築方法は、既設鉄塔の腕金に架した架線の下側に配設された鉄塔基礎脚部上に所定高さのガイドタワーを立設し、単位塔体を抱持し得る上部ガイドリングと下部ガイドリングとがガイドタワー内に上下動するように設けられ、ガイドタワーの下部内に搬入した単位塔体を上位の単位塔体に接続した後、前記上部及び下部ガイドリングにより単位塔体を抱持して迫り上げ、搬入、接続及び迫り上げを順次繰り返して鉄塔を地上付近において上部から下部へと構築するとともに、鉄塔の上部の腕金取付部がガイドタワーの頂部を通過した時点で、腕金をこれが既設架線と平行となるように腕金取付部に取付け、鉄塔が所定高さに到達した時点で、鉄塔をその腕金が既設架線と直交するように旋回させ、鉄塔の下部を鉄塔基礎脚部に固定した後、ガイドタワーを解体して撤去するものであるため、既設の鉄塔の腕金間に架した架線を支持するための架線支持用の鉄塔を構築する場合にのみ採用できるものであり、その上部に複数のアンテナを設置したアンテナ塔の中間部に増高構造体を継ぎ足してアンテナ塔を増高する既存のアンテナ塔の増高に適用できないものである。
この発明の解決しようとする課題は、上述の従来技術が有していた欠点を有していないアンテナ塔の増高方法を提供すること、換言すると、既存のアンテナ塔に設置したアナログ放送用のアンテナを使用しながら、電波障害を生じさせずにその高さを増大させて新規のデジタル放送用のアンテナの設置を可能にする既存のアンテナ塔の増高方法を提供することにある。
【０００７】
【課題を解決するための手段】
この発明の既存アンテナ塔の増高方法は、既存のアンテナ塔が複数の既存のアナログ放送用のアンテナを設置したアンテナ設置用上側部と該上側部を支持する支持用下側部とで構成されてあり、既存のアナログ放送用のアンテナを使用しながらその高さを増大させて、新規のデジタル放送用のアンテナの設置を可能にする既存のアンテナ塔の増高方法において、既存のアンテナ塔の周囲に足場兼支持架台を仮設して、その高さを前記支持用下側部よりも高くかつ既存のアナログ放送用のアンテナによる送受信を妨害しない程度にし、既存のアナログ放送用のアンテナが前記アンテナ設置用上側部に設置されたままの状態にて、既存のアンテナ塔をアンテナ設置用上側部と支持用下側部とに分離し、この分離前又は分離後に前記アンテナ設置用上側部及び支持用下側部を補強し、前記アンテナ設置用上側部を所定の高さだけ上昇させて、前記支持用下側部と前記アンテナ設置用上側部との間に隙間を形成し、この隙間内において第１段増高構造体を形成して、この第１段増高構造体の上側を前記アンテナ設置用上側部の下側に固着して継ぎ足し、次いで、前記アンテナ設置用上側部及び第１段増高構造体を所定の高さだけ上昇させて、前記支持用下側部と第１段増高構造体との間に隙間を形成し、この隙間内において第２段増高構造体を形成して、この第２段増高構造体の上側を第１段増高構造体の下側に固着して継ぎ足し、上記と同様のやり方にて第３段以降の増高構造体を継ぎ足し、最下段の増高構造体の下側を前記支持用下側部の上側に固着して連結し、継ぎ足された増高構造体に新規のデジタル放送用のアンテナを設置することを特徴とするものである。
【０００８】
また、アンテナ塔の増高後に、前記アンテナ設置用上側部に設置されていた既存のアナログ放送用のアンテナを該アンテナの増高前の設置高さと略同じ高さの前記増高構造体に移設するとともに、新規のデジタル放送用のアンテナを前記のアナログ放送用のアンテナの移設後のアンテナ設置用上側部に設置するようにする。
【０００９】
この発明の好適な形態においては、次ぎの（Ａ）及び（Ｂ）のようにする。
（Ａ）アンテナ設置用上側部と支持用下側部との間の隙間の成、及びアンテナ設置用上側部に継ぎ足した第１段以降の増高構造体と支持用下側部と間の隙間の成を略同じにするとともに、アンテナ設置用上側部の下側に継ぎ足される第１段以降の増高構造体の成を略同じにする
（Ｂ）既存のアナログ放送用のアンテナが不要になったときに、この不要のアナログ放送用のアンテナを撤去し、そのあとにデジタル放送用の新規のアンテナを設置する。
この発明における既存アンテナ塔は、鉄骨造、鉄骨鉄筋コンクリート造、鉄筋コンクリート造であり、この発明における増高構造体も、鉄骨造、鉄骨鉄筋コンクリート造、鉄筋コンクリート造である。
【００１０】
【作用】
この発明の既存のアンテナ塔の増高方法においては、既存のアンテナ塔を、複数の既存のアナログ放送用のアンテナを設置したアンテナ設置用上側部と該上側部を支持する支持用下側部とに分離し、アンテナ設置用上側部を複数の段に分けて順次上昇させ、各段の上昇後のアンテナ設置用上側部の下側の隙間に増高構造体を順次継ぎ足し、最下段の増高構造体を支持用下側部に固着し、アンテナ設置用上側部に継ぎ足された増高構造体に新規のデジタル放送用のアンテナを設置するから、既存アンテナ塔のアンテナ設置用上側部及び支持用下側部を同じ形で使用することができ、新たな敷地の取得が必要でなく、また、既存のアナログ放送用のアンテナと新規のデジタル放送用のアンテナとを、アンテナ間に必要な間隔を保って設置することができ、既存のアナログ放送用のアンテナ及び新規のデジタル放送用のアンテナによる送受信の際に電波障害が生じない。
【００１１】
【実施例】
実施例は、図１〜図９に示され、既存のアンテナ塔にこの発明の増高方法を適用した例である。
既存のアンテナ塔１０は、例えば、鉄骨造にて円錐形状に構成され、その下部の支持用下側部１１とその上部のアンテナ設置用上側部１２とを備えている。そのアンテナ設置用上側部１２には、複数のアナログ放送用のアンテナ１３１〜１３３が設置されている。
【００１２】
まず、既存のアンテナ塔１０の周囲に、図８に示すように、その支持用下側部１１よりも高くてかつアンテナ設置用上側部１２に配置したアナログ放送用のアンテナ１３１〜１３３によるアナログ放送の送受信を妨害しない程度の高さの足場兼支持架台３０を仮設する。
足場兼支持架台３０は、既存のアンテナ塔１０の支持用下側部１１に対してはこれに固定的に連結する。既存のアンテナ塔１０のアンテナ設置用上側部１２は、足場兼支持架台３０及び又は支持用下側部１１に上下方向にのみ移動可能に連結する。
【００１３】
それから、図２に示すように、既存のアンテナ塔１０をアンテナ設置用上側部１２と塔支持用下側部１１とに分離する。この分離後又は分離前にアンテナ設置用上側部１２及び支持用下側部１１を適宜の補強手段１４にて補強する。なお、既存のアンテナ塔１０を支持する基礎も必要に応じて補強する。
分離したアンテナ設置用上側部１２と足場兼支持架台３０又は支持用下側部１１との間に、適宜の押上手段又は吊上手段を設置する。そして、分離したアンテナ設置用上部分１２を、前記押上手段又は吊上手段等にて、足場兼支持架台３０に沿って上昇させ、必要に応じて、足場兼支持架台３０の上側に部材を継ぎ足して、足場兼支持架台３０の高さを高くしながら、アンテナ設置用上部分１２を所定の高さＨだけ上昇させ、図３に示すように、支持用下側部１１とアンテナ設置用上側部１２との間の所望の高さＨの隙間を形成する。そして、アンテナ設置用上側部１２を足場兼支持架台３０及び又は支持用下側部１１に仮固定する。
【００１４】
図４に示すように、支持用下側部１１とアンテナ設置用上側部１２との間の隙間において、第１段増高構造体２０Ａをその構成部材の組付等により形成する。この第１段増高構造体２０の上端はアンテナ設置用上側部１２の下端に固着する。また、第１段増高構造体２０Ａは支持用下側部１１又は足場兼支持架台３０に仮固定し、アンテナ設置用上側部１２と足場兼支持架台３０との間に配置されていた押上手段又は吊上手段を外す。第１段増高構造体３０Ａの周囲に新規のデジタル放送用のアンテナ１３Ａを設置する。
【００１５】
第１段増高構造体２０Ａを足場兼支持架台３０及び又は支持用下側部１１に上下方向にのみ移動可能に連結する。第１段増高構造体２０Ａの下端と足場兼支持架台３０又は支持用下側部１１との間に、適宜の押上手段又は吊上手段を設置する。アンテナ設置用上側部１２と足場兼支持架台３０との連結を解除し、かつ第１段増高構造体２０Ａと支持用下側部１１及び又は足場兼支持架台３０との仮固定を解除する。
【００１６】
それから、アンテナ設置用上側部１２及び第１段増高構造体２０Ａを、前記押上手段又は吊上手段等にて、足場兼支持架台３０に沿って上昇させて、アンテナ設置用上側部１２に取付けた第１段増高構造体２０Ａの下端を所定の高さだけ上昇させ、図５に示すように、支持用下側部１１の上端と第１段増高構造体２０Ａの下端との間に所定の高さの隙間を形成する。そして、第１段増高構造体２０Ａを足場兼支持架台３０に仮固定する。
【００１７】
図６に示すように、支持用下側部１１とアンテナ設置用上側部１２に連結した第１段増高構造体２０Ａの下端との間の隙間において、第２段増高構造体２０Ｂをその構成部材の組み付け等により形成する。この第２段増高構造体２０Ｂの上端はアンテナ設置用上側部１２に継ぎ足した第１段増高構造体２０Ａの下端に固着し、第２段増高構造体２０Ｂの下端を支持用下側部１１の上端又は足場兼支持架台３０に仮固定し、第１段増高構造体２０Ａと足場兼支持架台３０との間に配置されていた押上手段又は吊上手段を外す。第１段増高構造体２０Ａと第２段増高構造体２０Ｂとの接合部の近傍及び第２段増高構造体２０Ｂに新規のデジタル放送用のアンテナ１３Ｂ，１３Ｃを設置する。
【００１８】
上記と同様のやり方にて、図７に示すように、アンテナ設置用上側部１２に取付けた第１段増高構造体２０Ａ及び第２段増高構造体２０Ｂの下側に第３段増高構造体２０Ｃを継ぎ足す。第３段増高構造体２０Ｃは、支持用下側部１１の上端に固着する。デジタル送受信機室は既存のアンテナ塔の下部又は地上に新設する。そして、足場兼支持架台３０を解体して撤去し、既存のアンテナ塔の増高作業が完了する。
【００１９】
なお、第９図に示すように、既存のアンテナ塔１０のアンテナ設置用上側部１２に継ぎ足した増高構造体２０Ａ〜２０Ｃに、アンテナ設置用上側部１２に設置されていた既存のアナログ放送用のアンテナ１３１〜１３３を移設し、既存のアナログ放送用のアンテナの移設後の前記アンテナ設置用上側部１２に新規のデジタル放送用のアンテナ１３Ａ〜１２Ｃを設置するようにしてもよい。このようにすると、既存のアナログ放送用のアンテナ１３１〜１３３をそれらのアンテナ塔の増高前の設置高さと略同じ高さのところに設置することができ、かつ新規のデジタル放送用のアンテナ１３Ａ〜１２Ｃを増高後のアンテナ塔の高い位置にあるアンテナ設置用上側部１２に設置することができる。
【００２０】
上記実施例における増高構造体２０Ａ〜２０Ｃは、例えば、縦方向に延びる縦材、横方向に延びる横材、斜め方向に延びる斜材等の結合により構成し、既存のアンテナ塔が鉄骨造である場合には、鉄骨造にて構築し、既存のアンテナ塔が鉄骨鉄筋コンクリート造又は鉄筋コンクリート造である場合には、鉄骨鉄筋コンクリート造又は鉄筋コンクリート造にて構築する。
既存のアンテナ塔のアンテナ設置用上側部１２に設置したアナログ放送のためのアンテナ１３１〜１３３は、アナログ放送が行われなくなったら、これらのアンテナを撤去し、
そこに新規のデジタル放送のためのアンテナを設置する。
【００２１】
【発明の効果】
この発明は、特許請求の範囲の各請求項に記載した構成を備えることにより、次の（イ）〜（ハ）の効果を奏する。
（イ）請求項１に係る発明の既存のアンテナ塔の増高方法は、既存のアンテナ塔が複数の既存のアナログ放送用のアンテナを設置したアンテナ設置用上側部と該上側部を支持する支持用下側部とで構成されてあり、既存のアナログ放送用のアンテナを使用しながらその高さを増大させて、新規のデジタル放送用のアンテナの設置を可能にする既存のアンテナ塔の増高方法において、既存のアンテナ塔の周囲に足場兼支持架台を仮設して、その高さを前記支持用下側部よりも高くかつ既存のアナログ放送用のアンテナによる送受信を妨害しない程度にし、既存のアナログ放送用のアンテナが前記アンテナ設置用上側部に設置されたままの状態にて、既存のアンテナ塔をアンテナ設置用上側部と支持用下側部とに分離し、この分離前又は分離後に前記アンテナ設置用上側部及び支持用下側部を補強し、前記アンテナ設置用上側部を所定の高さだけ上昇させて、前記支持用下側部と前記アンテナ設置用上側部との間に隙間を形成し、この隙間内において第１段増高構造体を形成して、この第１段増高構造体の上側を前記アンテナ設置用上側部の下側に固着して継ぎ足し、次いで、前記アンテナ設置用上側部及び第１段増高構造体を所定の高さだけ上昇させて、前記支持用下側部と第１段増高構造体との間に隙間を形成し、この隙間内において第２段増高構造体を形成して、この第２段増高構造体の上側を第１段増高構造体の下側に固着して継ぎ足し、上記と同様のやり方にて第３段以降の増高構造体を継ぎ足し、最下段の増高構造体の下側を前記支持用下側部の上側に固着して連結し、継ぎ足された増高構造体に新規のデジタル放送用のアンテナを設置するから、次ぎの（１）〜（７）の効果を奏する。
（１）既存のアンテナ塔のアンテナ設置用上側部及び支持用下側部を使用するから、新たな敷地の取得が必要でない。
（２）既存のアナログ放送用のアンテナによるアナログ放送を中断することなく、新規のデジタル放送用のアンテナを設置するアンテナ設置用部分を形成することができる。
（３）既存のアンテナ塔の中間部に増高構造体を継ぎ足してアンテナ塔を増高して既存のアンテナ塔に継ぎ足した増高構造体に新規のデジタル放送用のアンテナを設置するから、増高前に現存する一般建物による電波障害地域と異なる新たな地域で電波障害対策を採る必要がない。
【００２２】
（４）既存のアナログ放送用のアンテナによる放送が中止された後は、既存のアナログ放送用のアンテナが設置されていたアンテナ設置用上側部に新規のデジタル放送用のアンテナを設置することができる。
（５）既存のアンテナ塔の周囲に足場兼支持架台を仮設して、その高さを前記支持用下側部よりも高くかつ既存のアナログ放送用のアンテナによる送受信を妨害しない程度にするから、足場兼支持架台が前記アンテナ設置用上側部の分離後の支持や増高構造体の形成に役立つ。
【００２３】
（６）既存のアンテナ塔の分離前又は分離後に、アンテナ設置用上側部及び支持用下側部を補強するから、アンテナ設置用上側部の下側に第１段以降の増高構造体を継ぎ足して既存のアンテナ塔を増高しても、増高した既存のアンテナ塔は充分な強度をもつことができる。
（７）既存のアンテナ塔のアンテナ設置用上側部に設置した複数の既存のアナログ放送用のアンテナと既存のアンテナ塔のアンテナ設置用上側部の下側に継ぎ足した第１段以降の増高構造体に設置した新たなデジタル放送用のアンテナとを、アンテナ間に必要な間隔を保って設置できるから、既存のアナログ放送用のアンテナ及び新たなデジタル放送用のアンテナに電波障害が生じない。
【００２４】
（ロ）請求項２に係る発明の既存のアンテナ塔の増高方法は、アンテナ塔の増高後に、前記アンテナ設置用上側部に設置されていた既存のアナログ放送用のアンテナを該アンテナの増高前の設置高さと略同じ高さの前記増高構造体に移設するとともに、新規のデジタル放送用のアンテナを前記のアナログ放送用のアンテナの移設後の前記アンテナ設置用上側部に設置するから、上記の（１）、（２）、（５）及び（６）の効果を奏するだけでなく、次ぎの（８）効果を奏する。
（８）既存のアナログ放送用のアンテナをそれらのアンテナ塔の増高前の設置高さと略同じ高さの増高構造体に移設するから、増高前に現存する一般建物による電波障害地域と異なる新たな地域で電波障害対策を探る必要がなく、また、新規のデジタル放送用のアンテナを増高後のアンテナ塔の高い位置にあるアンテナ設置用上側部に設置できる。
【図面の簡単な説明】
【図１】  実施例における既存のアンテナ塔を概略的に示す立面図
【図２】  実施例における補強した既存のアンテナ塔を概略的に示す立面図
【図３】  実施例の既存のアンテナ塔の支持用下側部の上端とそのアンテナ設置用上側部との間に隙間を形成した状態を概略的に示す立面図
【図４】  実施例の既存のアンテナ塔の支持用下側部とそのアンテナ設置用上側部との間に第１段増高構造体を形成した状態を概略的に示す立面図
【図５】  実施例の既存のアンテナ塔の支持用下側部の上端とそのアンテナ設置用上側部に取付けた第１段増高構造体の下端との間に隙間を形成した状態を概略的に示す立面図
【図６】  実施例の既存のアンテナ塔の支持用下側部と第１段増高構造体との間に第２段増高構造体を形成した状態を概略的に示す立面図
【図７】  実施例の既存のアンテナ塔の支持用下側部とその第２段増高構造体との間に第３段増高構造体を形成した状態を概略的に示す立面図
【図８】  実施例における既存のアンテナ塔の周囲に足場兼支持架台を仮設した状態を概略的に示す立面図
【図９】  実施例の増高した既存のアンテナ塔のアンテナ設置用上側部及びこれに継ぎ足した増高構造体への既存のアナログ放送用のアンテナ及び新規のデジタル放送用のアンテナの他の設置の仕方を概略的に示す立面図
【符号の説明】
１０  既存のアンテナ塔
１１  支持用下側部
１２  アンテナ設置用上側部
１３１〜１３３  既存のアナログ放送用のアンテナ
１３Ａ〜１３Ｃ  新規のデジタル放送用のアンテナ
１４  補強手段
２０Ａ  第１段増高構造体
２０Ｂ  第２段増高構造体
２０Ｂ  第２段増高構造体
３０  足場兼支持架台
【図１】
0003811883.tif 000002
【図２】
0003811883.tif 000003
【図３】
0003811883.tif 000004
【図４】
0003811883.tif 000005
【図５】
0003811883.tif 000006
【図６】
0003811883.tif 000007
【図７】
0003811883.tif 000008
【図８】
0003811883.tif 000009
【図９】
0003811883.tif 000010